(57)【要約】【課題】簡単な操作で集約画像を生成する。【解決手段】パーソナルコンピューター１は、ユーザーからの操作を受け付ける操作部１２と、第１制御部１１とを備える。第１制御部１１は、切取部１１０、第１決定部１１１、及び生成部１１６を備える。切取部１１０は、ユーザーの操作部１２に対する操作に基づいて、全体画像ＭＡの一部の画像を切り取り、複数の切取画像Ｍｎ（ｎ＝１、２、・・・、Ｎ）を生成する。第１決定部１１１は、ユーザーの操作部１２に対する操作に基づいて、複数の切取画像Ｍｎのレイアウトを一括して決定する。生成部１１６は、第１決定部１１１が決定した複数の切取画像Ｍｎのレイアウトに従って、複数の切取画像Ｍｎを配置して第１集約画像ＭＳ１を生成する。【選択図】図３
2018142788.tif 000002
【特許請求の範囲】
【請求項１】
ユーザーからの操作を受け付ける操作部と、制御部とを備える画像処理装置であって、
前記制御部は、
前記ユーザーの前記操作部に対する操作に基づいて、全体画像の一部の画像を切り取り、複数の切取画像を生成する切取部と
前記ユーザーの前記操作部に対する操作に基づいて、前記複数の切取画像のレイアウトを一括して決定する第１決定部と、
前記第１決定部が決定した前記複数の切取画像のレイアウトに従って、前記複数の切取画像を配置して第１集約画像を生成する生成部と
を備える、画像処理装置。
【請求項２】
前記制御部は、第２決定部を更に備え、
前記第２決定部は、前記ユーザーの前記操作部に対する操作に基づいて、前記切取画像を拡大又は縮小する拡縮率を決定し、
前記生成部は、前記拡縮率で前記切取画像を拡大又は縮小し、前記第１集約画像を生成する、請求項１に記載の画像処理装置。
【請求項３】
前記拡縮率は、前記切取画像を拡大する最大倍率、又は前記切取画像を縮小する最小倍率を示し、
前記生成部は、前記最大倍率を超えないように前記切取画像を拡大し、又は前記最小倍率を下回らないように前記切取画像を縮小し、前記第１集約画像を生成する、請求項２に記載の画像処理装置。
【請求項４】
前記制御部は、枠付加部を更に備え、
前記枠付加部は、前記ユーザーの前記操作部に対する操作に基づいて、前記拡縮率に対応付けられた色の枠画像を前記切取画像に付加し、
前記生成部は、前記色に対応付けられた前記拡縮率で前記切取画像を拡大又は縮小し、前記第１集約画像を生成する、請求項２又は請求項３に記載の画像処理装置。
【請求項５】
前記制御部は、判定部と、第３決定部とを更に備え、
前記判定部は、前記複数の切取画像の一部が重なっているか否かを判定し、
前記第３決定部は、前記ユーザーの前記操作部に対する操作に基づいて、前記複数の切取画像のうち、２つ以上の所定個数の切取画像に対する処理を決定し、
前記所定個数の切取画像は、一部が重なっていると前記判定部が判定した切取画像を示し、
前記切取部は、前記所定個数の切取画像に対して、前記第３決定部が決定した処理を実行する、請求項１から請求項４のいずれか１項に記載の画像処理装置。
【請求項６】
前記第３決定部は、前記処理として、第１処理と第２処理と第３処理とのうちのいずれかを選択し、
前記第１処理は、前記所定個数の切取画像を１つの切取画像にし、
前記第２処理は、前記所定個数の切取画像のうち、前記切取部が最初に生成した切取画像に前記一部の画像を含め、その他の切取画像には前記一部の画像を含めず、
前記第３処理は、前記所定個数の切取画像に、それぞれ、前記一部の画像を含める、請求項５に記載の画像処理装置。
【請求項７】
表示部を更に備え、
前記制御部は、前記表示部を制御する表示制御部を更に備え、
前記表示制御部は、前記全体画像を印刷プレビュー画像として前記表示部に表示させる、請求項１から請求項６のいずれか１項に記載の画像処理装置。
【請求項８】
前記生成部は、前記第１決定部が決定したレイアウトと相違する前記複数の切取画像のレイアウトに従って、前記複数の切取画像を配置して第２集約画像を更に生成し、
前記表示制御部は、前記第２集約画像を印刷プレビュー画像として前記表示部に更に表示する、請求項７に記載の画像処理装置。
【請求項９】
前記画像処理装置は、サーバー装置と通信し、
前記制御部は、前記サーバー装置に前記第１集約画像に含まれる前記複数の切取画像を示す情報と、前記複数の切取画像の各々の拡縮率を示す情報と、前記複数の切取画像のレイアウトを示す情報とを送信する送信制御部を更に備え、
前記送信制御部は、前記全体画像に対応付けて前記第１集約画像を送信する、請求項１から請求項８のいずれか１項に記載の画像処理装置。
【請求項１０】
記録媒体に画像を形成する画像形成部と、
請求項１から請求項９のいずれか１項に記載の画像処理装置と
を備え、
前記画像形成部は、前記第１集約画像を前記記録媒体に形成する、画像形成装置。
【発明の詳細な説明】
【技術分野】
【０００１】
本発明は、画像処理装置、及び画像形成装置に関する。
【背景技術】
【０００２】
特許文献１に記載の印刷制御装置は、文書を構成する複数のページ画像を１ページに集約印刷する。具体的には、印刷制御装置は、ユーザーからの指示に基づいて、複数のページ画像で構成される組を選択する。また、印刷制御装置は、ユーザーからの指示に基づいて、１つの組に含まれるページ画像毎に、用紙に印刷する際のレイアウトを指定する。そして、印刷制御装置は、指定されたレイアウトに従ってページ画像を配置し、複数のページ画像の集約印刷を行う。
【先行技術文献】
【特許文献】
【０００３】
【特許文献１】特開２００５−２５５１２号公報
【発明の概要】
【発明が解決しようとする課題】
【０００４】
しかしながら、特許文献１に記載の印刷制御装置では、用紙に印刷する際のレイアウトをページ画像毎に指定する必要があるため、ユーザーの操作が煩雑になる可能性がある。
【０００５】
本発明は、上記課題に鑑みてなされたものであり、簡単な操作で集約画像を生成できる画像処理装置、及び画像形成装置を提供することを目的としている。
【課題を解決するための手段】
【０００６】
本発明の第１局面に係る画像処理装置は、ユーザーからの操作を受け付ける操作部と、制御部とを備える。前記制御部は、切取部、第１決定部、及び生成部を備える。前記切取部は、前記ユーザーの前記操作部に対する操作に基づいて、全体画像の一部の画像を切り取り、複数の切取画像を生成する。前記第１決定部は、前記ユーザーの前記操作部に対する操作に基づいて、前記複数の切取画像のレイアウトを一括して決定する。前記生成部は、前記第１決定部が決定した前記複数の切取画像のレイアウトに従って、前記複数の切取画像を配置して第１集約画像を生成する。
【０００７】
本発明の第２局面に係る画像形成装置は、画像形成部、及び、前記画像処理装置を備える。前記画像形成部は、前記第１集約画像を前記記録媒体に形成する。
【発明の効果】
【０００８】
本発明の画像処理装置、及び画像形成装置によれば、簡単な操作で集約画像を生成できる。
【図面の簡単な説明】
【０００９】
【図１】本発明の第１実施形態に係る画像形成システムの構成を示す図である。
【図２】画像形成装置の構成を示す図である。
【図３】第１実施形態に係る第１制御部の構成を示す図である。
【図４】レイアウト選択画面の一例を示す画面図である。
【図５】全体画像の一例を示す図である。
【図６】切取画像の拡縮方法の一例を示す図である。（ａ）は、第１集約画像における配置可能領域の一例を示す図である。（ｂ）は、切取画像の一例を示す図である。
【図７】切取画像に対する第１処理を示す図である。
【図８】切取画像に対する第２処理を示す図である。
【図９】切取画像に対する第３処理を示す図である。
【図１０】プレビュー画面の一例を示す画面図である。
【図１１】第１制御部の動作を示すフローチャートである。
【図１２】第１制御部の動作を示すフローチャートである。
【図１３】第２実施形態に係る第２制御部の構成を示す図である。
【発明を実施するための形態】
【００１０】
以下、本発明の実施形態について、図面（図１〜図１３）を参照しながら説明する。なお、図中、同一又は相当部分については同一の参照符号を付して説明を繰り返さない。
【００１１】
＜第１実施形態＞
まず、図１を参照して、本発明の第１実施形態に係る画像形成システム１００について説明する。図１は、画像形成システム１００の構成を示す図である。図１に示すように、画像形成システム１００は、パーソナルコンピューター１、画像形成装置２、及びサーバー装置３を備える。
【００１２】
パーソナルコンピューター１は、第１制御部１１、操作部１２及び表示部１３を備える。パーソナルコンピューター１は、画像形成装置２及びサーバー装置３と通信する。例えば、パーソナルコンピューター１は、ＬＡＮ（Ｌｏｃａｌ  Ａｒｅａ  Ｎｅｔｗｏｒｋ）を介して、画像形成装置２と通信する。また、例えば、パーソナルコンピューター１は、インターネットを介して、サーバー装置３と通信する。パーソナルコンピューター１は、「画像処理装置」の一例に相当する。
【００１３】
第１制御部１１は、プロセッサー１１Ａ、及び記憶部１１Ｂを備える。プロセッサー１１Ａは、例えば、ＣＰＵ（Ｃｅｎｔｒａｌ  Ｐｒｏｃｅｓｓｉｎｇ  Ｕｎｉｔ）を備える。記憶部１１Ｂは、半導体メモリーのようなメモリーを備え、ＨＤＤ（Ｈａｒｄ  Ｄｉｓｋ  Ｄｒｉｖｅ）を備えてもよい。記憶部１１Ｂは、第１制御プログラムを記憶する。第１制御部１１は、「制御部」の一例に相当する。
【００１４】
操作部１２は、ユーザーからの操作を受け付ける。操作部１２は、例えば、キーボードを備える。
【００１５】
表示部１３は、種々の画像を表示する。表示部１３は、例えば、ＬＣＤ（Ｌｉｑｕｉｄ  Ｃｒｙｓｔａｌ  Ｄｉｓｐｌａｙ）を備える。
【００１６】
画像形成装置２は、用紙に画像を形成する。用紙は、「記録媒体」の一例に相当する。
【００１７】
サーバー装置３は、第３制御部３１を備える。第３制御部３１は、プロセッサー３１Ａ、及び記憶部３１Ｂを備える。プロセッサー３１Ａは、例えば、ＣＰＵを備える。記憶部３１Ｂは、半導体メモリーのようなメモリーを備え、ＨＤＤを備えてもよい。記憶部３１Ｂは、第３制御プログラムを記憶する。プロセッサー３１Ａは、第３制御プログラムを実行することによって、各種機能部として機能する。
【００１８】
次に、図２を参照して、第１実施形態に係る画像形成装置２について説明する。図２は、画像形成装置２の構成を示す図である。図２に示すように、画像形成装置２は複合機である。画像形成装置２は、画像形成ユニット２１、画像読取ユニット２２、原稿搬送ユニット２３、第２制御部２４、及び操作表示部２５を備える。
【００１９】
画像形成ユニット２１は、用紙Ｐに画像を形成する。画像読取ユニット２２は、原稿Ｒに形成された画像を読み取る。原稿搬送ユニット２３は、原稿Ｒを画像読取ユニット２２に供給する。第２制御部２４は、画像形成装置２の動作を制御する。
【００２０】
また、画像形成ユニット２１は、給送カセット２１１、搬送ローラー対２１２、画像形成部２１３、定着部２１４、排出ローラー対２１５、及び排出トレイ２１６を備える。給送カセット２１１から繰り出された用紙Ｐは、搬送ローラー対２１２によって画像形成部２１３まで搬送される。
【００２１】
画像形成部２１３は、用紙Ｐに画像を形成する。具体的には、画像形成部２１３は、感光体ドラム、帯電部、露光部、現像部、転写部、クリーニング部、及び除電部を備える。感光体ドラム、帯電部、露光部、現像部、及び転写部によって、用紙Ｐに画像が形成される。
【００２２】
画像が形成された用紙Ｐは、定着部２１４まで搬送される。定着部２１４は、用紙Ｐを加熱及び加圧し、用紙Ｐに形成された画像を用紙Ｐに定着する。画像が定着された用紙Ｐは、排出ローラー対２１５によって排出トレイ２１６へ排出される。
【００２３】
第２制御部２４は、プロセッサー２４Ａ、及び記憶部２４Ｂを備える。プロセッサー２４Ａは、例えば、ＣＰＵを備える。記憶部２４Ｂは、半導体メモリーのようなメモリーを備え、ＨＤＤを備えてもよい。記憶部２４Ｂは、第２制御プログラムを記憶する。プロセッサー２４Ａは、第２制御プログラムを実行することによって、各種機能部として機能する。
【００２４】
操作表示部２５は、ユーザーからの操作を受け付ける。操作表示部２５は、表示部２５１を備える。表示部２５１は、例えば、ＬＣＤを備え、種々の画像を表示する。
【００２５】
次に、図３を参照して、第１実施形態に係る第１制御部１１の構成について説明する。図３は、第１制御部１１の構成を示す図である。図３に示すように、第１制御部１１は、切取部１１０、第１決定部１１１、第２決定部１１２、枠付加部１１３、判定部１１４、第３決定部１１５、生成部１１６、表示制御部１１７、送信制御部１１８、及び指示部１１９を備える。具体的には、記憶部１１Ｂに記憶された第１制御プログラムをプロセッサー１１Ａが実行することによって、プロセッサー１１Ａは、切取部１１０、第１決定部１１１、第２決定部１１２、枠付加部１１３、判定部１１４、第３決定部１１５、生成部１１６、表示制御部１１７、送信制御部１１８、及び指示部１１９として機能する。
【００２６】
切取部１１０は、ユーザーの操作部１２に対する操作に基づいて、全体画像ＭＡの一部の画像を切り取り、複数の切取画像Ｍｎ（ｎ＝１、２、・・・、Ｎ）を生成する。個数Ｎは、切取画像Ｍｎの個数を示し、２以上の整数である。全体画像ＭＡは、例えば、新聞の各ページの画像であり、切取画像Ｍｎは、スクラップの画像である。全体画像ＭＡは、サーバー装置３の記憶部３１Ｂが予め記憶している。また、切取部１１０が、サーバー装置３の記憶部３１Ｂから全体画像ＭＡを取得する。
【００２７】
第１決定部１１１は、ユーザーの操作部１２に対する操作に基づいて、複数の切取画像Ｍｎのレイアウトを一括して決定する。
【００２８】
第２決定部１１２は、ユーザーの操作部１２に対する操作に基づいて、切取画像Ｍｎを拡大又は縮小する拡縮率ＲＡを決定する。
【００２９】
枠付加部１１３は、ユーザーの操作部１２に対する操作に基づいて、枠画像Ｆｎを切取画像Ｍｎに付加する。枠画像Ｆｎは、拡縮率ＲＡに対応付けられた色を有する。
【００３０】
判定部１１４は、複数の切取画像Ｍｎの一部が重なっているか否かを判定する。
【００３１】
第３決定部１１５は、ユーザーの操作部１２に対する操作に基づいて、複数の切取画像Ｍｎのうちの重なっている部分に対する処理を決定する。
【００３２】
生成部１１６は、第１決定部１１１が決定した複数の切取画像Ｍｎのレイアウトに従って、複数の切取画像Ｍｎを配置して第１集約画像ＭＳ１を生成する。
【００３３】
表示制御部１１７は、全体画像ＭＡを印刷プレビュー画像として表示部１３に表示させる。印刷は、用紙に画像を形成することを示す。
【００３４】
送信制御部１１８は、全体画像ＭＡから第１集約画像ＭＳ１を生成するために必要な情報をサーバー装置３に送信する。具体的には、送信制御部１１８は、複数の切取画像Ｍｎを示す情報と、各切取画像Ｍｎの拡縮率ＲＡを示す情報と、複数の切取画像Ｍｎのレイアウトを示す情報とをサーバー装置３に送信する。よって、第１集約画像ＭＳ１を作成したユーザーに加えて、他のユーザーも、切取画像Ｍｎ、拡縮率ＲＡ、及び切取画像Ｍｎのレイアウトを示す情報を利用できる。したがって、他のユーザーの利便性を向上できる。
【００３５】
サーバー装置３は、全体画像ＭＡから第１集約画像ＭＳ１を生成するために必要な情報を送信制御部１１８から受信した場合に、受信した情報を全体画像ＭＡに対応付けて記憶する。具体的には、第３制御部３１は、全体画像ＭＡから第１集約画像ＭＳ１を生成するために必要な情報を全体画像ＭＡに対応付けて記憶部３１Ｂに記憶する。
【００３６】
指示部１１９は、第１集約画像ＭＳ１を用紙Ｐに形成する旨の指示を画像形成装置２に対して出力する。
【００３７】
以上、図１から図３を参照して説明したように、第１実施形態では、第１決定部１１１が決定した複数の切取画像Ｍｎのレイアウトに従って、生成部１１６が複数の切取画像Ｍｎを配置して第１集約画像ＭＳ１を生成する。よって、ユーザーが複数の切取画像Ｍｎ毎に配置を決定する必要がない。したがって、簡単な操作で集約画像（例えば、第１集約画像ＭＳ１）を生成できる。
【００３８】
次に、図３及び図４を参照して、第１決定部１１１の処理について説明する。図４は、レイアウト選択画面３００の一例を示す画面図である。第１決定部１１１は、レイアウト選択画面３００を表示部１３に表示する。
【００３９】
図４に示すように、レイアウト選択画面３００は、第１レイアウト３０１、第２レイアウト３０２、第３レイアウト３０３、及び第４レイアウト３０４を含む。第１レイアウト３０１は、複数の切取画像Ｍｎを縦一列に配置する場合に選択される。第２レイアウト３０２は、複数の切取画像Ｍｎを縦二列に配置する場合に選択される。第３レイアウト３０３は、複数の切取画像Ｍｎを横一列に配置する場合に選択される。第４レイアウト３０４は、複数の切取画像Ｍｎを横二列に配置する場合に選択される。
【００４０】
第１決定部１１１は、ユーザーによる操作部１２の操作に基づいて、第１レイアウト３０１、第２レイアウト３０２、第３レイアウト３０３、及び第４レイアウト３０４のうち、どのレイアウトを選択するかを決定する。例えば、第１レイアウト３０１を選択する場合には、ユーザーは、「１」に対応するキーを押下する。また、例えば、第２レイアウト３０２を選択する場合には、ユーザーは、「２」に対応するキーを押下する。
【００４１】
以上、図３及び図４を参照して説明したように、第１実施形態では、予め設定された複数のレイアウトの中から１つのレイアウトを選択することによって、複数の切取画像Ｍｎのレイアウトを一括して決定する。よって、簡単な操作でレイアウトを一括して決定できる。したがって、更に簡単な操作で集約画像（例えば、第１集約画像ＭＳ１）を生成できる。
【００４２】
次に、図３及び図５を参照して、切取部１１０、第２決定部１１２、枠付加部１１３、生成部１１６、及び表示制御部１１７の処理について説明する。図５は、全体画像ＭＡの一例（全体画像４）を示す図である。図５に示す全体画像４は、表示制御部１１７によって印刷プレビュー画像として表示部１３に表示される。
【００４３】
印刷プレビュー画像とは、印刷される状態を示す画像である。ユーザーは、表示部１３に表示された印刷プレビュー画像を確認しながら、画像形成装置２に対して種々の設定（例えば、余白、印刷範囲、及び印刷部数の設定）を行う。
【００４４】
切取部１１０は、ユーザーの操作部１２に対する操作に基づいて、全体画像４の一部の画像を切り取り、例えば、切取画像４１及び切取画像４２を生成する。具体的には、ユーザーは操作部１２を介して点Ｐ１１及び点Ｐ１２を選択することによって、切取画像４１を選択状態にする。点Ｐ１１は、切取画像４１の左上端の位置を示し、点Ｐ１２は、切取画像４１の右下端の位置を示す。切取画像４１を切り取る場合には、ユーザーは操作部１２を介して、特定の操作を行う。例えば、特定の操作は、特定のキー（例えば、「Ｃ」ボタン）の押下である。切取部１１０が特定の操作を受け付けると、切取部１１０は切取画像４１を生成する。
【００４５】
また、ユーザーは操作部１２を介して点Ｐ２１及び点Ｐ２２を選択することによって、切取画像４２を選択状態にする。点Ｐ２１は、切取画像４２の左上端の位置を示し、点Ｐ２２は、切取画像４２の右下端の位置を示す。切取画像４２を切り取る場合には、ユーザーは操作部１２を介して、特定の操作を行う。切取部１１０が特定の操作を受け付けると、切取部１１０は切取画像４２を生成する。
【００４６】
第２決定部１１２は、ユーザーの操作部１２に対する操作に基づいて、切取画像４１を拡大又は縮小する拡縮率ＲＡ１を決定する。具体的には、拡縮率ＲＡ１は、切取画像４１を拡大する最大倍率ＲＬ１、又は切取画像４１を縮小する最小倍率ＲＲ１を示す。更に具体的には、第２決定部１１２は、ユーザーの操作部１２に対する操作に基づいて、下記の４種類の拡縮率ＲＡの中から１つの拡縮率ＲＡの選択を受け付け、拡縮率ＲＡ１を決定する。
第１拡縮率ＲＡＡ：拡縮しない。
第２拡縮率ＲＡＢ：拡縮率１０％以下。
第３拡縮率ＲＡＣ：拡縮率３０％以下。
第４拡縮率ＲＡＤ：拡縮率５０％以下。
同様にして、第２決定部１１２は、ユーザーの操作部１２に対する操作に基づいて、切取画像４２の拡縮率ＲＡ２を決定する。また、拡縮率ＲＡ２は、切取画像４２を拡大する最大倍率ＲＬ２、又は切取画像４２を縮小する最小倍率ＲＲ２を示す。
【００４７】
ユーザーが、拡縮率ＲＡ１として第１拡縮率ＲＡＡを選択した場合には、第２決定部１１２は、最大倍率ＲＬ１及び最小倍率ＲＲ１を、１００％に決定する。ユーザーが、拡縮率ＲＡ１として第２拡縮率ＲＡＢを選択した場合には、第２決定部１１２は、最大倍率ＲＬ１を１１０％に決定し、最小倍率ＲＲ１を９０％に決定する。ユーザーが、拡縮率ＲＡ１として第３拡縮率ＲＡＣを選択した場合には、第２決定部１１２は、最大倍率ＲＬ１を１３０％に決定し、最小倍率ＲＲ１を７０％に決定する。ユーザーが、拡縮率ＲＡ１として第４拡縮率ＲＡＤを選択した場合には、第２決定部１１２は、最大倍率ＲＬ１を１５０％に決定し、最小倍率ＲＲ１を５０％に決定する。第２決定部１１２は、拡縮率ＲＡ２についても、拡縮率ＲＡ１と同様にして、最大倍率ＲＬ２及び最小倍率ＲＲ２を決定する。
【００４８】
生成部１１６は、拡縮率ＲＡ１で切取画像４１を拡大又は縮小し、第１集約画像ＭＳ１を生成する。具体的には、生成部１１６は、最大倍率ＲＬ１を超えないように切取画像４１を拡大し、又は最小倍率ＲＲ１を下回らないように切取画像４１を縮小し、第１集約画像ＭＳ１を生成する。ユーザーが、例えば、拡縮率ＲＡ１として第２拡縮率ＲＡＢを選択し、第２決定部１１２が、最大倍率ＲＬ１を１１０％に決定し、最小倍率ＲＲ１を９０％に決定した場合には、生成部１１６は、以下の処理を行う。すなわち、生成部１１６は、最大倍率１１０％を超えないように切取画像４１を拡大し、又は最小倍率９０％を下回らないように切取画像４１を縮小し、第１集約画像ＭＳ１を生成する。
【００４９】
また、ユーザーが、例えば、拡縮率ＲＡ２として第４拡縮率ＲＡＤを選択し、第２決定部１１２が、最大倍率ＲＬ２を１５０％に決定し、最小倍率ＲＲ２を５０％に決定した場合には、生成部１１６は、以下の処理を行う。すなわち、生成部１１６は、最大倍率１５０％を超えないように切取画像４２を拡大し、又は最小倍率５０％を下回らないように切取画像４２を縮小し、第１集約画像ＭＳ１を生成する。
【００５０】
枠付加部１１３は、ユーザーの操作部１２に対する操作に基づいて、拡縮率ＲＡ１に対応付けられた色の枠画像ＭＦを切取画像４１に付加する。また、枠付加部１１３は、ユーザーの操作部１２に対する操作に基づいて、拡縮率ＲＡ２に対応付けられた色の枠画像ＭＦを切取画像４２に付加する。具体的には、枠付加部１１３は、下記の４種類の拡縮率ＲＡのうち、拡縮率ＲＡ１に対応付けられた色の枠画像ＭＦを切取画像４１に付加する。また、下記の４種類の拡縮率ＲＡのうち拡縮率ＲＡ２に対応付けられた色の枠画像ＭＦを切取画像４２に付加する。
第１拡縮率ＲＡＡ：赤色の枠。
第２拡縮率ＲＡＢ：青色の枠。
第３拡縮率ＲＡＣ：緑色の枠。
第４拡縮率ＲＡＤ：黄色の枠。
【００５１】
ユーザーが、例えば、拡縮率ＲＡ１として第２拡縮率ＲＡＢを選択した場合には、枠付加部１１３は、青色の枠画像４１１を切取画像４１に付加する。また、ユーザーが、例えば、拡縮率ＲＡ２として第４拡縮率ＲＡＤを選択した場合には、枠付加部１１３は、黄色の枠画像４２１を切取画像４２に付加する。
【００５２】
以上、図３及び図５を参照して説明したように、第１実施形態では、第２決定部１１２は、ユーザーの操作部１２に対する操作に基づいて、例えば、切取画像４１の拡縮率ＲＡ１、及び切取画像４２の拡縮率ＲＡ２を決定する。また、生成部１１６は、例えば、拡縮率ＲＡ１で切取画像４１を拡大又は縮小し、拡縮率ＲＡ２で切取画像４２を拡大又は縮小し、第１集約画像ＭＳ１を生成する。よって、第１集約画像ＭＳ１を生成するときの切取画像４１の拡縮率ＲＡ１及び切取画像４２の拡縮率ＲＡ２をユーザーの所望する拡縮率に決定できる。したがって、ユーザーの所望する拡縮率で切取画像４１及び切取画像４２を拡大又は縮小して、第１集約画像ＭＳ１を生成できる。その結果、ユーザーの所望する第１集約画像ＭＳ１を生成できる。
【００５３】
また、拡縮率ＲＡ１は、切取画像４１を拡大する最大倍率ＲＬ１、又は切取画像４１を縮小する最小倍率ＲＲ１を示す。拡縮率ＲＡ２は、切取画像４２を拡大する最大倍率ＲＬ２、又は切取画像４２を縮小する最小倍率ＲＲ２を示す。そして、生成部１１６は、最大倍率ＲＬ１を超えないように切取画像４１を拡大し、又は最小倍率ＲＲ１を下回らないように切取画像４１を縮小し、第１集約画像ＭＳ１を生成する。また、生成部１１６は、最大倍率ＲＬ２を超えないように切取画像４２を拡大し、又は最小倍率ＲＲ２を下回らないように切取画像４２を縮小し、第１集約画像ＭＳ１を生成する。よって、第１集約画像ＭＳ１を生成するときの切取画像４１の最大倍率ＲＬ１及び切取画像４２の最大倍率ＲＬ２と、切取画像４１の最小倍率ＲＲ１及び切取画像４２の最小倍率ＲＲ２とを、それぞれ、ユーザーの所望する最大倍率及び最小倍率に決定できる。したがって、ユーザーの所望する最大倍率を超えないように切取画像４１及び切取画像４２を拡大し、ユーザーの所望する最小倍率を下回らないように切取画像４１及び切取画像４２を縮小して、第１集約画像ＭＳ１を生成できる。
【００５４】
更に、枠付加部１１３は、ユーザーの操作部１２に対する操作に基づいて、拡縮率ＲＡ１に対応付けられた色の枠画像ＭＦを切取画像４１に付加する。ユーザーが、例えば、拡縮率ＲＡ１として第２拡縮率ＲＡＢを選択した場合には、枠付加部１１３は、青色の枠画像４１１を切取画像４１に付加する。また、生成部１１６は、第２拡縮率ＲＡＢで切取画像４１を拡大又は縮小し、第１集約画像ＭＳ１を生成する。第２拡縮率ＲＡＢは、「色に対応付けられた拡縮率」に相当する。
【００５５】
よって、拡縮率ＲＡに対応付けられた色の枠画像ＭＦが切取画像Ｍｎに付与されているため、ユーザーは枠画像ＭＦの色に基づいて拡縮率ＲＡを確認できる。したがって、ユーザーの利便性を向上できる。
【００５６】
加えて、表示制御部１１７は、全体画像４を印刷プレビュー画像として表示部１３に表示する。よって、全体画像４から切取画像４１及び切取画像４２のような切取画像Ｍｎが生成される場合にも、全体画像４は印刷プレビュー画像として表示されているため、全体画像４が加工されることはない。したがって、全体画像４が加工されることを防止できる。
【００５７】
次に、図３及び図６を参照して、生成部１１６の処理について説明する。図６は、切取画像４１の拡縮方法の一例を示す図である。図６（ａ）は、第１集約画像ＭＳ１における配置可能領域Ｒｂの一例を示す図である。図６（ｂ）は、切取画像４１の一例を示す図である。図６（ａ）を参照して、第１決定部１１１が４つの切取画像Ｍｎを縦一列に配置すると決定した場合について説明する。また、第１集約画像ＭＳ１に３つの切取画像Ｍｎが配置されており、３つの切取画像Ｍｎの下側に切取画像４１を配置する場合について説明する。
【００５８】
生成部１１６は、３つの切取画像Ｍｎの下側にある配置可能領域Ｒｂのサイズを算出する。具体的には、生成部１１６は、配置可能領域Ｒｂの幅Ｂｂ及び高さＨｂを算出する。「配置可能領域Ｒｂ」とは、第１集約画像ＭＳ１において、切取画像Ｍｎ（例えば、切取画像４１）を配置できる領域を示す。配置可能領域Ｒｂは、画像形成可能領域Ｒａの一部である。画像形成可能領域Ｒａは、用紙Ｐに画像を形成できる領域を示す。
【００５９】
図６（ｂ）に示すように、切取画像４１のサイズは、幅Ｂ１で高さＨ１である。生成部１１６は、配置可能領域Ｒｂのサイズと図６（ｂ）に示す切取画像４１のサイズとを比較する。具体的には、生成部１１６は、配置可能領域Ｒｂの幅Ｂｂが切取画像４１の幅Ｂ１以上であるか否かを判定する。また、生成部１１６は、配置可能領域Ｒｂの高さＨｂが切取画像４１の高さＨ１以上であるか否かを判定する。幅Ｂｂが幅Ｂ１以上であり、且つ、高さＨｂが高さＨ１以上である場合には、生成部１１６は、以下の処理を行う。すなわち、生成部１１６は、最大倍率１１０％を超えないように切取画像４１を拡大して、配置可能領域Ｒｂに配置する。
【００６０】
幅Ｂｂが幅Ｂ１未満であるか、又は、高さＨｂが高さＨ１未満である場合には、生成部１１６は、以下の処理を行う。すなわち、生成部１１６は、最小倍率９０％を下回らないように切取画像４１を縮小して、配置可能領域Ｒｂに配置する。よって、切取画像４１をユーザーが所望するサイズで配置可能領域Ｒｂに配置できる。したがって、ユーザーの所望する第１集約画像ＭＳ１を生成できる。
【００６１】
次に、図３、図５及び図７〜図９を参照して、切取部１１０、判定部１１４、及び第３決定部１１５の処理について説明する。具体的には、切取画像Ｍｎのうちの重なっている部分に対する処理について説明する。図７は、切取画像Ｍｎに対する第１処理を示す図である。図８は、切取画像Ｍｎに対する第２処理を示す図である。図９は、切取画像Ｍｎに対する第３処理を示す図である。
【００６２】
判定部１１４は、複数の切取画像Ｍｎの一部が重なっているか否かを判定する。例えば、判定部１１４は、切取画像４１と切取画像４２との一部が重なっているか否かを判定する。図５に示すように、一部の画像４３が、切取画像４１と切取画像４２との両方に含まれている。よって、判定部１１４は、切取画像４１と切取画像４２との一部が重なっていると判定する。
【００６３】
第３決定部１１５は、ユーザーの操作部１２に対する操作に基づいて、複数の切取画像Ｍｎのうち、所定個数ＫＭの切取画像Ｍｎに対する処理を決定する。所定個数ＫＭの切取画像Ｍｎは、一部が重なっていると判定部１１４が判定した切取画像Ｍｎを示す。所定個数ＫＭは、２つ以上である。具体的には、第３決定部１１５は、所定個数ＫＭの切取画像Ｍｎに対する処理として、第１処理と第２処理と第３処理とのうちのいずれかを選択する。切取部１１０は、所定個数ＫＭの切取画像Ｍｎに対して、第３決定部１１５が決定した処理を実行する。
【００６４】
第１処理は、所定個数ＫＭの切取画像Ｍｎを１つの切取画像Ｍｎにする処理を示す。例えば、図７に示すように、第１処理は、２つの切取画像４１及び切取画像４２を１つの切取画像４４にする処理を示す。第３決定部１１５が第１処理に決定した場合には、切取部１１０は、２つの切取画像４１及び切取画像４２から切取画像４４を生成する。
【００６５】
第２処理は、所定個数ＫＭの切取画像Ｍｎのうち、切取部１１０が最初に生成した切取画像Ｍｎに一部の画像ＭＰを含め、その他の切取画像Ｍｎには一部の画像ＭＰを含めない処理を示す。例えば、第２処理は、２つの切取画像４１及び切取画像４２（図５参照）のうち、切取部１１０が最初に生成した切取画像４１に一部の画像４３を含め、切取画像４２には一部の画像４３を含めない処理を示す。すなわち、第２処理は、図８に示すように、一部の画像４３を含めた切取画像４１Ａを生成し、一部の画像４３を含めない切取画像４２Ａを生成する処理を示す。第３決定部１１５が第２処理に決定した場合には、切取部１１０は、切取画像４１Ａ及び切取画像４２Ａを生成する。
【００６６】
第３処理は、所定個数ＫＭの切取画像Ｍｎに、それぞれ、一部の画像ＭＰを含める処理を示す。例えば、第３処理は、２つの切取画像４１及び切取画像４２（図５参照）の各々に、一部の画像４３を含める処理を示す。すなわち、第２処理は、図９に示すように、一部の画像４３を含めた切取画像４１Ｂを生成し、一部の画像４３を含めた切取画像４２Ｂを生成する処理を示す。第３決定部１１５が第３処理に決定した場合には、切取部１１０は、切取画像４１Ｂ及び切取画像４２Ｂを生成する。
【００６７】
以上、図３、図５及び図７〜図９を参照して説明したように、第１実施形態では、判定部１１４は、複数の切取画像Ｍｎの一部が重なっているか否かを判定する。複数の切取画像Ｍｎのうち、所定個数ＫＭの切取画像Ｍｎの一部が重なっている場合には、種々の処理（例えば、第１処理〜第３処理のような処理）が可能である。また、第３決定部１１５が、ユーザーの操作部１２に対する操作に基づいて、所定個数ＫＭの切取画像Ｍｎに対する処理を決定し、切取部１１０は、所定個数ＫＭの切取画像Ｍｎに対して、第３決定部１１５が決定した処理を実行する。よって、所定個数ＫＭの切取画像Ｍｎに対して、ユーザーが所望する処理を実行することができる。
【００６８】
また、第３決定部１１５は、所定個数ＫＭの切取画像Ｍｎに対する処理として、第１処理と第２処理と第３処理とのうちのいずれかを選択する。よって、ユーザーは、第１処理と第２処理と第３処理とのうち、所望する処理を選択すればよい。したがって、所定個数ＫＭの切取画像Ｍｎに対する処理を、ユーザーがパーソナルコンピューター１に対して容易に指示することができる。
【００６９】
次に、図３及び図１０を参照して、生成部１１６及び表示制御部１１７の処理について説明する。
【００７０】
生成部１１６は、第１決定部１１１が決定したレイアウトと相違するレイアウトに従って、複数の切取画像Ｍｎを配置して第２集約画像ＭＳ２を生成する。表示制御部１１７は、第１集約画像ＭＳ１及び第２集約画像ＭＳ２を印刷プレビュー画像として表示部１３に表示する。
【００７１】
図１０は、プレビュー画面３１０の一例を示す画面図である。表示制御部１１７は、表示部１３にプレビュー画面３１０を表示する。図１０に示すように、プレビュー画面３１０には、第１集約画像３１１と第２集約画像３１２とが表示されている。第１集約画像３１１では、複数の（例えば、４つの）切取画像Ｍｎが縦一列に配置されている。第２集約画像３１２では、複数の（例えば、４つの）切取画像Ｍｎが横一列に配置されている。
【００７２】
以上、図３及び図１０を参照して説明したように、第１実施形態では、表示制御部１１７は、第１集約画像ＭＳ１及び第２集約画像ＭＳ２を印刷プレビュー画像として表示部１３に表示する。第１集約画像ＭＳ１では、第１決定部１１１が決定した複数の切取画像Ｍｎのレイアウトに従って、複数の切取画像Ｍｎが配置されている。また、第２集約画像ＭＳ２は、第１集約画像ＭＳ１と比較して、切取画像Ｍｎのレイアウトが相違する。よって、ユーザーは、第１集約画像ＭＳ１と第２集約画像ＭＳ２とを比較して、印刷を所望する集約画像ＭＳを決定できる。したがって、ユーザーは、所望する集約画像ＭＳを容易に生成できる。
【００７３】
次に、図３、図１１及び図１２を参照して、第１制御部１１の動作について説明する。図１１及び図１２は、第１制御部１１の動作を示すフローチャートである。まず、図１１に示すように、ステップＳ１０１において、ユーザーの操作部１２に対する操作に基づいて、切取部１１０が、全体画像ＭＡの一部の画像を切り取り、複数の切取画像Ｍｎ（ｎ＝１、２、・・・、Ｎ）を生成する。
【００７４】
次に、ステップＳ１０３において、ユーザーの操作部１２に対する操作に基づいて、第２決定部１１２が切取画像Ｍｎの拡縮率ＲＡを決定する。具体的には、拡縮率ＲＡは、切取画像Ｍｎを拡大する最大倍率ＲＬ、又は切取画像Ｍｎを縮小する最小倍率ＲＲを示す。
そして、ステップＳ１０５において、ユーザーの操作部１２に対する操作に基づいて、切取部１１０が全体画像ＭＡからの画像の切り取りを終了するか否かを判定する。
画像の切り取りを終了しないと切取部１１０が判定した場合（ステップＳ１０５でＮＯ）には、処理がステップＳ１０１に戻る。画像の切り取りを終了すると切取部１１０が判定した場合（ステップＳ１０５でＹＥＳ）には、処理がステップＳ１０７に進む。
そして、ステップＳ１０７において、判定部１１４が複数の切取画像Ｍｎの一部が重なっているか否かを判定する。
複数の切取画像Ｍｎの一部が重なってはいないと判定部１１４が判定した場合（ステップＳ１０７でＮＯ）には、処理が図１２に示すステップＳ１１５に進む。すなわち、画像の一部が重なっている切取画像Ｍｎは全くないと判定部１１４が判定した場合（ステップＳ１０７でＮＯ）には、処理が図１２に示すステップＳ１１５に進む。一方、複数の切取画像Ｍｎの一部が重なっていると判定部１１４が判定した場合（ステップＳ１０７でＹＥＳ）には、処理がステップＳ１０９に進む。
【００７５】
そして、ステップＳ１０９において、ユーザーの操作部１２に対する操作に基づいて、第３決定部１１５が複数の切取画像Ｍｎのうちの重なっている部分に対する処理を決定する。具体的には、第３決定部１１５が第１処理と第２処理と第３処理とのうちのいずれかを選択する。
次に、ステップＳ１１１において、切取部１１０がステップＳ１０９で決定した処理を実行して切取画像Ｍｎを修正する。
そして、ステップＳ１１３において、第３決定部１１５が「重なり処理」を終了するか否かの判定を行う。なお、「重なり処理」とは、複数の切取画像Ｍｎのうちの重なっている部分に対する処理を示す。
「重なり処理」を終了しないと第３決定部１１５が判定した場合（ステップＳ１１３でＮＯ）には、処理がステップＳ１０９に戻る。「重なり処理」を終了すると第３決定部１１５が判定した場合（ステップＳ１１３でＹＥＳ）には、処理が図１２に示すステップＳ１１５に進む。
【００７６】
次に、図１２に示すステップＳ１１５において、ユーザーの操作部１２に対する操作に基づいて、第１決定部１１１が複数の切取画像Ｍｎのレイアウトを一括して決定する。
そして、ステップＳ１１５において第１決定部１１１が決定したレイアウトに従って、ステップＳ１１７において生成部１１６が複数の切取画像Ｍｎを配置して第１集約画像ＭＳ１を生成する。
次に、ステップＳ１１９において、表示制御部１１７が第１集約画像ＭＳ１を印刷プレビュー画像として表示部１３に表示させる。
そして、ステップＳ１２１において、ユーザーの操作部１２に対する操作に基づいて、第１制御部１１が複数の切取画像Ｍｎのレイアウトを変更するか否かを判定する。
複数の切取画像Ｍｎのレイアウトを変更しないと第１制御部１１が判定した場合（ステップＳ１２１でＮＯ）には、処理がステップＳ１２５へ進む。複数の切取画像Ｍｎのレイアウトを変更すると判定した場合（ステップＳ１２１でＹＥＳ）には、処理がステップＳ１２３へ進む。
そして、ステップＳ１２３において、ユーザーの操作部１２に対する操作に基づいて、第１決定部１１１が複数の切取画像Ｍｎのレイアウトを再度一括して決定し、処理がステップＳ１１７に戻る。
【００７７】
一方、ステップＳ１２１でＮＯの場合には、ステップＳ１２５において、ユーザーの操作部１２に対する操作に基づいて、第１制御部１１が切取画像Ｍｎの拡縮率ＲＡを変更するか否かを判定する。
切取画像Ｍｎの拡縮率ＲＡを変更しないと第１制御部１１が判定した場合（ステップＳ１２５でＮＯ）には、処理がステップＳ１２９に進む。一方、切取画像Ｍｎの拡縮率ＲＡを変更すると第１制御部１１が判定した場合（ステップＳ１２５でＹＥＳ）には、処理がステップＳ１２７に進む。
そして、ステップＳ１２７において、ユーザーの操作部１２に対する操作に基づいて、第２決定部１１２が切取画像Ｍｎの拡縮率ＲＡを再度決定し、処理がステップＳ１１７に戻る。
【００７８】
一方、ステップＳ１２５でＮＯの場合には、ステップＳ１２９において、ユーザーの操作部１２に対する操作に基づいて、第１制御部１１が第１集約画像ＭＳ１を印刷するか否かを判定する。
第１集約画像ＭＳ１を印刷しないと第１制御部１１が判定した場合（ステップＳ１２９でＮＯ）には、処理が終了する。一方、第１集約画像ＭＳ１を印刷すると第１制御部１１が判定した場合（ステップＳ１２９でＹＥＳ）には、処理がステップＳ１３１に進む。
そして、ステップＳ１３１において、第１制御部１１が画像形成装置２に第１集約画像ＭＳ１を印刷させて、処理が終了する。
【００７９】
以上、図３、図１１及び図１２を参照して説明したように、第１実施形態では、表示制御部１１７が第１集約画像ＭＳ１を印刷プレビュー画像として表示部１３に表示させる。また、第１制御部１１が、ユーザーの操作部１２に対する操作に基づいて、第１集約画像ＭＳ１を画像形成装置２に印刷させる。したがって、第１集約画像ＭＳ１を簡単な操作で印刷できる。
【００８０】
＜第２実施形態＞
次に、図１３を参照して、第２実施形態に係る第２制御部２４の構成について説明する。第２実施形態に係る画像形成システムは、パーソナルコンピューター１を備えない点で、第１実施形態に係る画像形成システム１００と相違する。すなわち、第２実施形態に係る画像形成システムは、画像形成装置２とサーバー装置３とから構成されている。また、第１実施形態では、パーソナルコンピューター１が「画像処理装置」に相当するのに対して、第２実施形態では、画像形成装置２が「画像処理装置」を備える点で相違している。
【００８１】
具体的には、図１３に示すように、第２実施形態に係る画像形成装置２の第２制御部２４は、第１実施形態に係るパーソナルコンピューター１の第１制御部１１と同様の構成を有する。すなわち、第２制御部２４は、切取部２４０、第１決定部２４１、第２決定部２４２、枠付加部２４３、判定部２４４、第３決定部２４５、生成部２４６、表示制御部２４７、送信制御部２４８、及び指示部２４９を備える。具体的には、記憶部２４Ｂに記憶された制御プログラムをプロセッサー２４Ａが実行することによって、プロセッサー２４Ａは切取部２４０、第１決定部２４１、第２決定部２４２、枠付加部２４３、判定部２４４、第３決定部２４５、生成部２４６、表示制御部２４７、送信制御部２４８、及び指示部２４９として機能する。
【００８２】
なお、切取部２４０、第１決定部２４１、第２決定部２４２、枠付加部２４３、判定部２４４、第３決定部２４５、生成部２４６、表示制御部２４７、送信制御部２４８、及び指示部２４９は、それぞれ、切取部２４０、第１決定部２４１、第２決定部２４２、枠付加部２４３、判定部２４４、第３決定部２４５、生成部２４６、表示制御部２４７、送信制御部２４８、及び指示部２４９に対応する機能を有する。
【００８３】
第１制御部１１がユーザーの操作部１２に対する操作を受け付けるのに対して、第２制御部２４は、ユーザーの操作表示部２５に対する操作を受け付ける。また、第１制御部１１が種々の画像を表示部１３に表示するのに対して、第２制御部２４は、種々の画像を表示部２５１に表示する。
【００８４】
以上、図１３を参照して説明したように、第２実施形態では、第２制御部２４が、切取部２４０、第１決定部２４１、第２決定部２４２、枠付加部２４３、判定部２４４、第３決定部２４５、生成部２４６、表示制御部２４７、送信制御部２４８、及び指示部２４９を備える。よって、第２実施形態に係る画像形成システムは、第１実施形態に係る画像形成システム１００と比較して、簡素な構成で集約画像（例えば、第１集約画像ＭＳ１）を生成できる。
【００８５】
以上、図面を参照しながら本発明の実施形態について説明した。ただし、本発明は、上記の実施形態に限られるものではなく、その要旨を逸脱しない範囲で種々の態様において実施することが可能である（例えば、下記に示す（１）〜（４））。図面は、理解し易くするために、それぞれの構成要素を主体に模式的に示しており、図示された各構成要素の厚み、長さ、個数等は、図面作成の都合上から実際とは異なる場合がある。また、上記の実施形態で示す各構成要素の形状、寸法等は一例であって、特に限定されるものではなく、本発明の構成から実質的に逸脱しない範囲で種々の変更が可能である。
【００８６】
（１）図１を参照して説明したように、画像処理装置がパーソナルコンピューター１であるが、本発明はこれに限定されない。画像処理装置が操作部と制御部とを備えればよい。例えば、画像処理装置が、タブレット端末装置である形態でもよい。また、画像処理装置が、スマートフォンのような携帯電話装置である形態でもよい。
【００８７】
（２）図２を参照して説明したように、画像形成装置２が複合機であるが、本発明はこれに限定されない。画像形成装置２が、用紙Ｐに画像を形成する機能を備えればよい。例えば、画像形成装置２が、モノクロコピー機である形態でもよい。また、例えば、画像形成装置２が、カラープリンターである形態でもよい。
【００８８】
（３）図３を参照して、全体画像ＭＡがサーバー装置３に予め記憶されているが、本発明はこれに限定されない。例えば、全体画像ＭＡが、画像読取ユニット２２が生成した原稿画像である形態でもよい。
【００８９】
（４）図１０を参照して、表示制御部１１７が表示部１３に第１集約画像３１１と第２集約画像３１２とを表示させるが、本発明はこれに限定されない。表示制御部１１７が表示部１３に第１集約画像３１１を含む複数の集約画像ＭＳを表示させればよい。例えば、表示制御部１１７が表示部１３に、互いにレイアウトが相違する３つ以上の集約画像ＭＳを表示させる形態でもよい。表示制御部１１７が表示する集約画像ＭＳの個数が多い程、ユーザーの選択肢が増えるため、ユーザーの利便性を向上できる。
【産業上の利用可能性】
【００９０】
本発明は、画像処理装置、及び画像形成装置に関するものであり、産業上の利用可能性を有する。
【符号の説明】
【００９１】
１００    画像形成システム
１    パーソナルコンピューター（画像処理装置）
１１    第１制御部
１１０    切取部
１１１    第１決定部
１１２    第２決定部
１１３    枠付加部
１１４    判定部
１１５    第３決定部
１１６    生成部
１１７    表示制御部
１１８    送信制御部
１１９    指示部
１２    操作部
１３    表示部
２    画像形成装置
２１    画像形成ユニット
２１３    画像形成部
２２    画像読取ユニット
２３    原稿搬送ユニット
２４    第２制御部
２５    操作表示部
２５１    表示部
３    サーバー装置
３１    第３制御部
【図１】
2018142788.tif 000003
【図２】
2018142788.tif 000004
【図３】
2018142788.tif 000005
【図４】
2018142788.tif 000006
【図５】
2018142788.tif 000007
【図６】
2018142788.tif 000008
【図７】
2018142788.tif 000009
【図８】
2018142788.tif 000010
【図９】
2018142788.tif 000011
【図１０】
2018142788.tif 000012
【図１１】
2018142788.tif 000013
【図１２】
2018142788.tif 000014
【図１３】
2018142788.tif 000015